(57)【要約】【課題】払拭部が張り出して流通時や保管時に邪魔にならず、押されて払拭部が変形や破損してしまうことを防止するため、払拭部が容器体から張り出さない払拭具付き容器体を提供することである。【解決手段】筒状の胴部（５）の上端に円筒状の口筒部を起立設した容器体（１）に、払拭具（２）が付いた容器体であって、該胴部（５）に、該払拭具（２）の払拭部（２２）を該容器体（１）から張り出さないように凹みが設けられた胴部凹部（６）を有することを特徴とする払拭具付き容器体。【選択図】図１
2016010631.tif 000002
【特許請求の範囲】
【請求項１】
筒状の胴部（５）の上端に円筒状の口筒部を起立設した容器体（１）に、払拭具（２）が付いた容器体であって、
該胴部（５）に、該払拭具（２）の払拭部（２２）を該容器体（１）から張り出さないように凹みが設けられた胴部凹部（６）を有することを特徴とする払拭具付き容器体。
【請求項２】
前記口筒部の下に筒状の首部（３）を連設し、該首部（３）の下に下方に徐々に拡径する拡径筒状の肩部（４）を連設している請求項１に記載の払拭具付き容器体。
【請求項３】
前記胴部凹部（６）には、払拭具の位置ずれを防止する位置ずれ防止凹凸（１１）が形成されている請求項１又は２に記載の払拭具付き容器体。
【請求項４】
前記位置ずれ防止凹凸（１１）が、前記払拭具（２）の基部（２１）の開口凹部（１２）と前記胴部凹部（６）に形成された凸部（１３）であり、該開口凹部（１２）に該凸部（１３）が嵌合する請求項３に記載の払拭具付き容器体。
【請求項５】
前記位置ずれ防止凹凸（１１）が、前記胴部凹部（６）の短径部に形成された段部（１４）と前記払拭具（２）の短径部の窪み部（１５）であり、該段部（１４）と該窪み部（１５）が嵌合する請求項３に記載の払拭具付き容器体。
【請求項６】
前記払拭具（２）が、前記払拭部（２２）に複数の突起（２３）を有するヘアケアブラシ（２０）である請求項１〜５のいずれかに記載の払拭具付き容器体。
【請求項７】
前記払拭部（２２）が、スポンジ又は植込ブラシである請求項１〜５のいずれかに記載の払拭具付き容器体。
【発明の詳細な説明】
【技術分野】
【０００１】
本発明は、洗浄液等の内容物を収容する容器体に関し、より詳細には、払拭具が付いた容器体に関するものである。
【背景技術】
【０００２】
従来より、シャンプー等の内容液にて洗髪する際に、容器体の外周に複数の突起を設け、前記容器体に付いた突起を洗髪用のブラシとして利用可能にした容器体が開示されている（例えば、特許文献１参照）。
【０００３】
この特許文献１の発明にあっては、払拭部となるブラシの突起が容器体より張り出ており、流通時や保管時に張り出した突起が邪魔になったり、張り出した突起が押されて変形や破損してしまうことがあった。
【先行技術文献】
【特許文献】
【０００４】
【特許文献１】特開平１０−２４８６３４号公報
【発明の概要】
【発明が解決しようとする課題】
【０００５】
本発明の目的は、払拭部が張り出して流通時や保管時に邪魔にならず、押されて払拭部が変形や破損してしまうことを防止するため、払拭部が容器体から張り出さない払拭具付き容器体を提供することである。
【課題を解決するための手段】
【０００６】
上記課題の解決手段として、本発明に係る払拭具付き容器体は、
筒状の胴部の上端に円筒状の口筒部を起立設した容器体に、払拭具が付いた容器体であって、
該胴部に、該払拭具の払拭部を該容器体から張り出さないように凹みが設けられた胴部凹部を有することを特徴とする。
【０００７】
この構成によって払拭部が胴部、つまり容器体から張り出していないため、払拭部が流通時や保管時に邪魔にならず、押されて払拭部の変形や破損を防止することが達成できる。また、払拭部の張り出した部分がないため容器体をシュリンクフィルム等で被覆しても省スペース化が図れ、また胴部凹部をシュリンクフィルム等で被覆することで流通時等に外観が良くなる。
【０００８】
また、本発明に係る別の払拭具付き容器体において、口筒部の下に筒状の首部を連設し、該首部の下に下方に徐々に拡径する拡径筒状の肩部を連設している。
【０００９】
上記構造では、払拭具を胴部凹部から取り外した後、再度胴部凹部に装着する際に徐々に拡径する肩部が案内部材の働きをすることによって、容易に胴部凹部に装着することができる。また、筒状の首部を有するため、リング状の払拭具を胴部凹部から取り外して使用した後、首部に被せるようにして簡易的に保管することができる。
【００１０】
また、本発明に係る別の払拭具付き容器体において、胴部凹部に払拭具の位置ずれを防止する位置ずれ防止凹凸が形成されている。
【００１１】
上記構造では、払拭具の位置ずれを防止する位置ずれ防止凹凸が形成されているため、払拭部を容器体から張り出さないように胴部凹部の凹みの大きい前面に保持することができる。また、払拭時には、払拭部を容器体から張り出す胴部凹部の背面に保持し続けることができる。
【００１２】
また、本発明に係る別の払拭具付き容器体において、位置ずれ防止凹凸が、払拭具の基部の開口凹部と胴部凹部に形成された凸部であり、開口凹部に凸部が嵌合する。
【００１３】
上記構造では、基部の開口凹部と胴部凹部に形成された凸部が嵌合することによって、容易に位置ずれを防止することが達成できる。
【００１４】
また、本発明に係る別の払拭具付き容器体において、位置ずれ防止凹凸が、容器体の短径部に形成された段部と払拭具の短径部の窪み部であり、段部と窪み部が嵌合する。
【００１５】
上記構造では、基部に開口部が設けられていないため、引っ張り等の負荷により基部に亀裂が生じ難く、長期間使用できる耐久性が期待できる。
【００１６】
また、本発明に係る別の払拭具付き容器体において、払拭具が払拭部に複数の突起を有するヘアケアブラシである。
【００１７】
上記構造では、複数の突起が櫛の働きをし、払拭時、つまり洗髪時において、頭皮又は地肌に対して脱毛防止や養毛の為に有効的なマッサージ作業を行え、また、整髪時にはブラッシングが行うことが可能となった。
【００１８】
また、本発明に係る別の払拭具付き容器体において、払拭部がスポンジ又は植込ブラシである。
【００１９】
上記構造では、被払拭物や内容物等に応じて払拭部にスポンジ又は繊維束を複数植えた植込ブラシを用いることができる。
【発明の効果】
【００２０】
本発明の主たる構成においては、払拭部が胴部、つまり容器体から張り出さないため、張り出し部が流通時や保管時に邪魔にならず、押されて払拭部の変形や破損を防止することができる。また、払拭部の張り出した部分がないため容器体をシュリンクフィルム等で被覆しても省スペース化が図れ、またシュリンクフィルム等で被覆することで流通時等に外観が良くなり、機能美を消費者にアピールできる。
【００２１】
口筒部の下に筒状の首部を連設し、該首部の下に下方に徐々に拡径する拡径筒状の肩部を連設しているものにあっては、払拭具を胴部凹部から取り外した後、再度胴部凹部に装着する際に徐々に拡径する肩部が案内部材の働きをすることにより、容易に胴部凹部に装着することが可能である。また、筒状の首部を有するため、リング状の払拭具を胴部凹部から取り外して使用した後に簡易的に保管することが可能である。
【００２２】
胴部凹部には、払拭具の位置ずれを防止する位置ずれ防止凹凸が形成されているものにあっては、払拭部を胴部から張り出さないように胴部凹部の凹みの大きい前面に保持することが可能である。また、払拭時には、払拭部を胴部から張り出す胴部凹部の背面に保持し続けることも可能である。
【００２３】
位置ずれ防止凹凸が、基部の開口凹部と胴部凹部に形成された凸部で嵌合しているものにあっては、容易に位置ずれを防止することが可能となった。
【００２４】
位置ずれ防止凹凸が、容器体の短径部に形成された段部と払拭具の短径部の窪み部が嵌合しているものにあっては、基部に開口部が設けられていないため、引っ張り等の負荷により基部に亀裂が生じ難く、優れた耐久性が期待できる。
【００２５】
払拭具が払拭部に複数の突起を有するヘアケアブラシであるものにあっては、複数の突起が櫛の働きをし、人間の髪や頭皮或いは動物の体毛や皮膚（地肌）の汚れを落とす払拭時、つまり洗髪時等において、頭皮又は地肌に対して脱毛防止や養毛の為に有効的なマッサージ作業を行うことが可能である。また、髪を梳いたり梳かす整髪時にはブラッシングを行うこともできる。
【００２６】
払拭部がスポンジ又は繊維束を複数植えた植込ブラシであるものにあっては、被払拭物、内容物や使用目的に応じて適宜変更することが可能である。
【図面の簡単な説明】
【００２７】
【図１】本発明に係る払拭具付き容器体の第１実施例を示す側面図である。
【図２】図１の払拭具付き容器体の（ａ）は正面図、（ｂ）は上面図である。である。
【図３】図１の容器体の各箇所の平断面図である。
【図４】本発明に係る払拭具付き容器体の第２実施例での側面図である。
【図５】第３実施例での払拭具の使用状態における（ａ）背面図、（ｂ）側面図である。
【図６】本発明に係る払拭具付き容器体の第３実施例での側面図である。
【図７】第４実施例での払拭具の使用状態における（ａ）背面図、（ｂ）側面図である。
【図８】本発明に係る払拭具付き容器体の第４実施例を示す側面図である。
【発明を実施するための形態】
【００２８】
以下、本発明にかかる実施の形態について図面を参照しつつ説明する。
【００２９】
図１は、本発明に係る払拭具付き容器体の第１実施例を示す側面図である。図２は、図１の払拭具付き容器体の（ａ）は正面図、（ｂ）は上面図である。図３は、容器体の各箇所の平断面図であり、Ａ−Ａは首部、Ｂ−Ｂは上方の胴部、Ｃ−Ｃは胴部凹部、Ｄ−Ｄは下方の胴部である。
【００３０】
図１に示すように、第１実施例における容器体１は、筒状の胴部５の上端に円筒状の口筒部を起立設している。口筒部の下に細長筒状の首部３を連設し、首部３の下に下方に徐々に拡径する拡径筒状の肩部４を連設している。胴部５には、払拭具２の払拭部２２が隠れて張り出さない凹みが設けられた胴部凹部６が配設されている。容器体１の口筒部には、着脱自在な有頂筒状のキャップ本体９と開閉用の蓋体８からなるキャップ７が組付いている。容器体１の胴部凹部６を含む胴部５領域近傍には、商品名等の表示や装飾性の付与のためシュリンクフィルム１０により外装した状態で製品化されている。本発明では、払拭部２２の張り出した部分がないため容器体１をシュリンクフィルム１０で被覆しても省スペース化が図れ、また胴部凹部６を被覆することで流通時等に外観が良くなり、機能美を消費者にアピールできる。なお、胴部５と肩部４、首部３や底部を含む容器体の全高さ範囲に亘ってシュリンクフィルム１０により外装することも可能である。
【００３１】
本第１実施例では、払拭具２の払拭部２２が複数の突起２３であるヘアケアブラシ２０となっている。図２（ｂ）に示されるように、流通時や保管時は払拭部である突起２３が容器体１から張り出さないように、胴部凹部６の長径部の凹みの大きい前面に保持されている。
【００３２】
胴部凹部６には、伸縮する軟材料からなる基部２１と洗髪時や整髪時等にブラッシングやマッサージを行う櫛先となる軟材料からなる複数の突起２３を有するヘアケアブラシ２０が組付いている。本発明においては、図２（ｂ）に示されるように突起２３が胴部５、つまり容器体１から張り出さないことが必須であり、その為に、胴部５は突起２３が隠れるよう凹んでいる必要がある。ヘアケアブラシ２０の使用方法としては、突起２３を胴部５から張り出すように胴部凹部６の前面から背面に回転させることにより使用可能となる。また、ヘアケアブラシ２０を胴部凹部６から上方に移動させ、図３のＢ−Ｂで示される上方の胴部５にて基部２１を周方向に伸長させて容器体１から取り外して、リング状バンドのヘアケアブラシ２０を手に嵌めて使用することも可能である。
【００３３】
ヘアケアブラシ２０を胴部凹部６から取り外した後、再度胴部凹部６に装着する際、首部３の下に下方に徐々に拡径する拡径筒状の肩部４が案内部材の働きをすることによって、基部２１を周方向に徐々に伸長させられるため、容易に胴部凹部６に装着することができる。また、細長筒状の首部３を有するため、リング状バンドのヘアケアブラシ２０を取り外して使用した後、首部に被せるようにして簡易的に保管することができる。なお、肩部４の拡径は、全周に亘って拡径するものであっても、部分的に拡径するものであっても構わない。
【００３４】
胴部凹部６の平断面は、図３のＣ−Ｃに示されるように、長径部と短径部からなり、二つの半楕円を直線で繋げた陸上競技の周回走路のトラックのような形状である。胴部凹部６に装着されるヘアケアブラシ２０の平断面も近似形状のトラックのような形状である。このように近似形状であるため、胴部凹部６においてヘアケアブラシ２０の位置合わせるは容易に行える。
【００３５】
払拭具２は、伸縮する軟材料からなる基部２１を平断面にてトラックのような形状に形成し、その後インサード成形等によって基部２１の上に払拭部２２を形成することにより得られる。この時、払拭部２２には基部２１とは異なる材料を用いることができる。
【００３６】
第１実施例のヘアケアブラシ２０は、人間に髪や頭皮或いは動物の体毛や皮膚（地肌）の汚れを落とす払拭時、つまり洗髪時等において、髪と頭皮又は地肌に対して脱毛防止や養毛の為に有効的なマッサージ作業を行え、また、髪を梳いたり梳かす整髪時にはブラッシングが行える。
【００３７】
胴部凹部６には、ヘアケアブラシ２０の位置ずれを防止する位置ずれ防止凹凸１１を形成することが好ましい。これによって、流通時や保管時等の不使用時には、突起２３を容器体１から張り出さないように胴部凹部６の凹みの大きい前面に保持することが可能である。また、ヘアケアブラシを使用した払拭時には、突起２３を容器体１から張り出す胴部凹部６の背面に保持し続けることも可能である。
【００３８】
図４及び図５は、本発明の第２実施例を示している。本第２実施例では、位置ずれ防止凹凸１１が、ヘアケアブラシ２０の基部２１の開口凹部１２と胴部凹部６に形成された凸部１３にて構成されている。この構成により、図４の胴部凹部６の凹みの大きい前面にて突起２３が隠れている状態、及び図５の胴部凹部６の背面に突起２３があるヘアケアブラシ使用状態にあっても、容易に位置ずれを防止することが可能である。開口凹部１２は、凸部１３と同じ形状であり、僅かに大きく形成されており、開口凹部１２に凸部１３が嵌合するようになっている。凸部１３は、胴部凹部６の凹みの大きい前面と背面の長径部に形成され、これに対応するように開口凹部１２は、ヘアケアブラシ２０の突起２３を有する面とその背面である長径部に設けられている。なお、本実施形態においては、開口凹部１２及び凸部１３の位置ずれ防止凹凸１１は、容器体１の側面となる短径部に配設されていても構わない。
【００３９】
図６及び図７は、本発明の第３実施例を示している。本第３実施例では、位置ずれ防止凹凸１１が、容器体１の側面となる短径部における段部１４とヘアケアブラシ２０の短径部の窪み部１５で構成され、段部１４と窪み部１５が嵌合している。この構成により、図６の胴部凹部６の凹みの大きい前面にて突起２３が隠れている状態、及び図７の胴部凹部６の背面に突起２３があるヘアケアブラシ使用状態にあっても、位置ずれを防止することが可能である。また、第３実施例のように基部２１に開口部が設けられていないため、引っ張り等の負荷により基部２１に亀裂が生じ難く、優れた耐久性が発揮できる。
【００４０】
払拭具２の払拭部２２には、スポンジ又は繊維束を複数植えた植込ブラシを用いることができ、被払拭物、内容物の性状や使用目的に応じて適宜変更することが可能である。払拭部２２にスポンジを用いたものを本発明の第４実施例として図８に示す。
【００４１】
尚、本明細書において「払拭具」とは、洗髪や整髪、ボディウォッシュ等に使用可能なブラシや洗浄に利用可能なスポンジ体、及び例えば化粧料等を塗布可能な塗布具等を云う。
【００４２】
特にブラシにおいては、髪や頭皮或いは体毛や皮膚（地肌）の洗浄やブラッシングによる整髪等において、被払拭物である髪や頭皮又は皮膚（地肌）に対してマッサージ効果を得られるマッサージ用具としても良い。
【００４３】
以上、実施例に沿って本発明の構成とその作用効果について説明したが、本発明の実施の形態は上記実施例に限定されるものではない。
【００４４】
例えば、突起２３の硬度、先端部の形状や大きさ、底面の直径の大きさ、高さ、配列又は直毛密度は、ブラッシング効果やマッサージ効果を高めるものであれば特にどのようなものでも構わない。また、突起は、その全数が同じ外径である必要はなく、突起を設ける位置によって、突起の高さや突起の底面の直径の大きさ等を段階的に異ならせたり、部分的に異ならせて設けることができる
【産業上の利用可能性】
【００４５】
以上説明したように、払拭部が容器体から張り出していないため、払拭部が流通時や保管時に邪魔にならず、払拭部が変形や破損してしまうことを防止することが可能な払拭具付き容器体を提供することができる。
【符号の説明】
【００４６】
１  ；容器体
２  ；払拭具
３  ；首部
４  ；肩部
５  ；胴部
６  ；胴部凹部
７  ；キャップ
８  ；蓋体
９  ；キャップ本体
１０；シュリンクフィルム
１１；位置ずれ防止凹凸
１２；開口凹部
１３；凸部
１４；段部
１５；窪み部
２０；ヘアケアブラシ
２１；基部
２２；払拭部
２３；突起
【図１】
2016010631.tif 000003
【図２】
2016010631.tif 000004
【図３】
2016010631.tif 000005
【図４】
2016010631.tif 000006
【図５】
2016010631.tif 000007
【図６】
2016010631.tif 000008
【図７】
2016010631.tif 000009
【図８】
2016010631.tif 000010